(57)【要約】      （修正有）【課題】蛍光体による波長変換効率を向上させて発光装置の光出力を高めるとともに発光素子から発光される光を外部に効率良く放射できるようにし、輝度や演色性等の照明特性に優れた発光装置を提供すること。【解決手段】平均粒径が１乃至５μｍのセラミックスからなる基体２と、基体上に搭載されており、青色領域の光を発生可能な発光ダイオード４と、発光ダイオード上に配置されており、発光ダイオードから放出された光により励起され黄色の光を放出する蛍光体層５とを備えている。【選択図】図１
2006270120.tif 000002
【特許請求の範囲】
【請求項１】
平均粒径が１乃至５μｍのセラミックスからなる基体と、
該基体上に搭載されており、青色領域の光を発生可能な発光ダイオードと、
該発光ダイオード上に配置されており、前記発光ダイオードから放出された光により励起され黄色の光を放出する蛍光体層と、を備えた発光ダイオード装置。
【発明の詳細な説明】
【技術分野】
【０００１】
本発明は、発光素子から発光される光を蛍光体で波長変換し外部に放射する発光素子収納用パッケージおよび発光装置ならびに照明装置に関する。
【背景技術】
【０００２】
従来の発光ダイオード（ＬＥＤ）等の発光素子14から発光される近紫外光や青色光等の光を赤色，緑色，青色および黄色等の複数の蛍光体（図示せず）で波長変換して白色発光する発光装置11を図２に示す。図２において、発光装置11は、上面の中央部に発光素子14を載置するための載置部12ａを有し、載置部12ａおよびその周辺から発光装置の内外を電気的に導通接続するリード端子やメタライズ配線等からなる配線導体（図示せず）が形成された絶縁体から成る基体12と、基体12の上面に接着固定され、上側開口が下側開口より大きい貫通孔が形成されているとともに、内周面が発光素子14から発光される光を反射する反射面とされている枠状の枠体13と、枠体13の内側に充填され発光素子14から発光される光によって励起され波長変換する蛍光体を含有した透光性部材15と、載置部12aに載置固定された発光素子14とから主に構成されている。
【０００３】
基体12は、酸化アルミニウム質焼結体（アルミナセラミックス），窒化アルミニウム質焼結体，ムライト質焼結体またはガラスセラミックス等のセラミックス、あるいはエポキシ樹脂等の樹脂から成る。基体12がセラミックスから成る場合、その上面に配線導体がタングステン（Ｗ）やモリブデン（Ｍｏ）−マンガン（Ｍｎ）等から成る金属ペーストを高温で焼成して形成される。また、基体12が樹脂から成る場合、銅（Ｃｕ）や鉄（Ｆｅ）−ニッケル（Ｎｉ）合金等から成るリード端子がモールド成型されて基体12の内部に設置固定される。
【０００４】
また、枠体13は、上側開口が下側開口より大きい貫通孔が形成されるとともに内周面に光を反射する反射面が設けられる枠状となっている。具体的には、アルミニウム（Ａｌ）やＦｅ−Ｎｉ−コバルト（Ｃｏ）合金等の金属、アルミナセラミックス等のセラミックスまたはエポキシ樹脂等の樹脂から成り、切削加工、金型成型または押し出し成型等の成形技術により形成される。
【０００５】
さらに、枠体13の反射面は、貫通孔の内周面を研磨して平坦化することにより、あるいは、貫通孔の内周面にＡｌ等の金属を蒸着法やメッキ法により被着することにより形成される。そして、枠体13は、半田や銀（Ａｇ）ろう等のろう材もしくは樹脂接着材等の接合材により、載置部12ａを枠体13の内周面で取り囲むように基体12の上面に接合される。
【０００６】
そして、載置部12ａの周辺に配置した配線導体と発光素子14とをボンディングワイヤや金属ボール等の電気接続手段（図示せず）を介して電気的に接続し、しかる後、蛍光体を含有するエポキシ樹脂やシリコーン樹脂等の透光性部材15をディスペンサー等の注入機で発光素子14を覆うように枠体13の内側に充填しオーブンで熱硬化させることで、発光素子14から発光された光を蛍光体により波長変換し所望の波長スペクトルを有する光を取り出せる発光装置11とすることができる。
【特許文献１】特開２００３−３７２９８号公報
【発明の開示】
【発明が解決しようとする課題】
【０００７】
図２に示す従来の発光装置11では、発光素子14から発光される光を効率よく発光装置11の外部に放射させるために、例えば、セラミックスから成る基体12の上面を研磨加工で平滑にしたり、基体12の上面にＡｇ，ＡｌまたはＡｕ等の金属膜を形成したりして基体12の上面の反射率を向上させていた。しかし、透光性部材15の内部に蛍光体を含有させて発光素子14から発光される光を波長変換させる発光装置11の場合、発光素子14から発光される光が透光性部材15を透過して基体12の上面で正反射することにより、正反射方向以外の蛍光体は励起され難く、一部の蛍光体で主に波長変換するために波長変換の効率が低くなって光出力や輝度、演色性が低下するという問題点を有していた。
【０００８】
また、基体12がセラミックスから成る場合、基板12に光が吸収されることにより、基体12の上面における反射率が低下し易くなる。その結果、発光装置は所望の光出力が得られなくなるとともに、近年に望まれている光取り出し効率を達し得ないという問題点も有していた。また基板12による光吸収を防止するため基体12の上面に金属膜を形成する場合、めっきや蒸着等により金属膜を形成する必要があり、製造工程が多くなるとともに製造コストが高くなるという問題も有していた。
【０００９】
また、基体12がエポキシ樹脂や液晶ポリマー等の樹脂材料から成る場合、発光素子14が発する熱を基体12を介して効率良く外部に放散できないことから、その熱により発光素子14の発光効率が著しく低下し、その結果、発光装置11の光出力が低下するという問題点を有していた。
【００１０】
さらに、発光素子14を被覆するとともに発光素子14から発光される光を波長変換するための蛍光体を含有した透光性部材15において、蛍光体の含有率を上げて波長変換の効率を向上させようとすると、発光装置から放射される光が蛍光体によって妨害され易くなるため、光出力を高めることができないという問題点を有していた。また逆に、蛍光体の含有率を下げると、波長変換の効率が低下して所望の波長の光が得られず、その結果、光出力を高めることができないという問題点を有していた。
【００１１】
したがって、本発明は上記問題点に鑑みて完成されたものであり、その目的は、蛍光体による波長変換効率を向上させて発光装置の光出力を高めるとともに発光素子から発光される光を外部に効率良く放射できるようにし、輝度や演色性等の照明特性に優れた発光装置を提供することである。
【課題を解決するための手段】
【００１２】
本発明の発光ダイオード装置は、平均粒径が１乃至５μｍのセラミックスからなる基体と、該基体上に搭載されており、青色領域の光を発生可能な発光ダイオードと、該発光ダイオード上に配置されており、前記発光ダイオードから放出された光により励起され黄色の光を放出する蛍光体層と、を備えたものである。
【発明の効果】
【００１３】
本発明の発光ダイオード装置は、平均粒径が１乃至５μｍのセラミックスからなる基体と、該基体上に搭載されており、青色領域の光を発生可能な発光ダイオードと、該発光ダイオード上に配置されており、前記発光ダイオードから放出された光により励起され黄色の光を放出する蛍光体層と、を備えていることにより、白色発光の特性を向上させることができる。
【発明を実施するための最良の形態】
【００１４】
本発明の発光素子収納用パッケージ（以下、パッケージともいう）および発光装置について以下に詳細に説明する。図１は本発明の発光装置１の実施の形態の一例を示す断面図である。この図において、２は基体、３は枠体、４は発光素子、５は蛍光体（図示せず）を含有した透光性部材であり、主としてこれらで発光素子４から発光される光を外部に出力させ得る発光装置１が構成される。
【００１５】
本発明のパッケージは、上面に発光素子４の載置部２ａが形成されたセラミックスから成る基体２と、この基体２の上面の外周部に載置部２ａを囲繞するように接合されるとともに内周面が発光素子４から発光される光を反射する反射面とされている枠体３と、一端が基体２の上面に形成されて発光素子４の電極に電気的に接続されるとともに他端が基体２の側面または下面に導出される配線導体（図示せず）と、枠体３の内側に発光素子４を覆うように設けられるとともに、発光素子４から発光される光を波長変換する蛍光体を含有する透光性部材５とを具備している。
【００１６】
基体２は、酸化アルミニウム質焼結体，窒化アルミニウム質焼結体，ムライト質焼結体またはガラスセラミックス等のセラミックスから成る絶縁体から成り、発光素子４を支持する支持部材として機能し、その上面に発光素子４を搭載するための搭載部２ａを有している。
【００１７】
また、基体２は、セラミックスの結晶粒の平均粒径が１乃至５μｍである。これにより、結晶粒が非常に高密度になるため基体２の表面の結晶粒が占める割合が大きくなり、結晶粒間から基体２の内部に入り込む光が有効に抑制されて基体２の上面の反射率が向上するので、発光装置１の光出力を高めることができる。
【００１８】
さらに、基体２の上面の算術平均粗さが、発光素子４から発光された光を基体２の上面で全方向に反射することができる適度な大きさとなる。その結果、枠体３の内周面で反射される光により励起されて発光する蛍光体の数が増加し、発光装置１の光出力や輝度、演色性を高めることができる。
【００１９】
なお、セラミックスの結晶粒の平均粒径が５μｍより大きい場合、基体２の表面の結晶粒が占める割合が小さくなり、結晶粒間から基体２内部に入り込む光が増加して基体２の上面における反射率が低下し易くなる。その結果、発光素子４から発光された光や蛍光体から発光された光が基体２の上面で効率よく反射されずに発光装置１の光出力が低下し易くなる。また、セラミックスの結晶粒の平均粒径が１μｍより小さい場合、基体２の上面の算術平均粗さが小さくなり、発光素子４から発光される光が基体２の上面で正反射し易くなって、全方向へ反射することが困難となる。その結果、正反射方向以外の蛍光体が励起され難くなって、正反射方向に位置する蛍光体が主に波長変換に寄与することとなり波長変換の効率が低くなって、発光装置１の光出力が低下し易くなる。
【００２０】
また、基体２は、セラミックスの結晶粒の平均粒径が１乃至５μｍであることから、基体２の熱伝導性の高い結晶粒の密度が高くなって、基体２の熱伝導率が向上するため発光素子４の発する熱を基体２を介して効率良く外部に放散することが可能となる。そのため、熱に起因する発光素子４の発光効率の低下を抑制できることから、発光装置１の光出力の低下を有効に抑制できる。
【００２１】
載置部２ａには、発光素子４が電気的に接続されるための配線導体（図示せず）が形成されている。この配線導体が基体２の内部に形成された配線層（図示せず）を介して発光装置１の外表面に導出され、ろう材や金属製のリード等を介して外部電気回路基板に接続されることにより、発光素子４と外部電気回路とが電気的に接続される。
【００２２】
発光素子４を配線導体に接続する手段としては、Ａｕ線やＡｌ線等によるワイヤを介して接続するワイヤボンディング方式、あるいは発光素子４の下面に形成した電極を、Ａｕ−錫（Ｓｎ）半田，Ｓｎ−Ａｇ半田，Ｓｎ−Ａｇ−Ｃｕ半田またはＳｎ−鉛（Ｐｂ）等を用いた半田バンプ、またはＡｕやＡｇ等の金属を用いた金属バンプから成る接続手段を介して接続するフリップチップボンディング方式等の方法が用いられる。好ましくは、フリップチップボンディング方式により接続するのがよい。これにより、配線導体を基体２の上面の発光素子４の直下に設けることができるため、基体２の上面の発光素子４の周辺部に配線導体の領域を設ける必要がなくなる。よって、発光素子４から発光された光がこの基体２の配線導体の領域で吸収されて放射される光出力が低下するのを有効に抑制することができる。
【００２３】
配線導体は、Ｗ，Ｍｏ，Ｍｎ，ＣｕまたはＡｇ等の金属粉末から成るメタライズ層から成り、基体２の表面や内部に形成される。または、Ｆｅ−Ｎｉ−Ｃｏ合金等のリード端子を基体２に埋設することにより形成されてもよい。さらに、配線導体が形成された絶縁体から成る入出力端子を基体２に設けられた貫通孔に嵌着接合させることによって設けられてもよい。
【００２４】
また、配線導体の露出する表面には、ＮｉやＡｕ等の耐食性に優れる金属を１乃至20μｍ程度の厚さで被着させておくのが良く、配線導体の酸化腐食を有効に防止し得るとともに、発光素子４と配線導体との接続を強固にすることができる。したがって、配線導体の露出表面には、例えば、厚さ１乃至10μｍ程度のＮｉメッキ層と厚さ0.1乃至３μｍ程度のＡｕメッキ層とが電解メッキ法や無電解メッキ法により順次被着されているのがより好ましい。
【００２５】
また、基体２の上面には、枠体３が半田やＡｇろう等のろう材、あるいはエポキシ樹脂等の接着剤等の接合材により取着される。さらに、枠体３は内周面に発光素子４から発光された光を高反射率で反射させ得る反射面を有している。このような内周面を形成する方法として、例えば、枠体３をＡｌ，Ａｇ，Ａｕ，白金（Ｐｔ），チタン（Ｔｉ），クロム（Ｃｒ）またはＣｕ等の高反射率の金属で切削加工や金型成形等により形成し、その内周面を電解研磨や化学研磨等の研磨加工によって平滑化し反射面とする。また、耐候性や耐湿性に優れるＣｕ−Ｗ合金やＳＵＳ（ステンレススチール）合金で枠体３を形成し、この内周面に、Ａｌ，ＡｇまたはＡｕ等の金属メッキ、あるいは蒸着等によって金属薄膜を形成してもよい。なお、内周面がＡｇやＣｕ等の酸化により変色し易い金属からなる場合には、その表面に、紫外領域から可視光領域にわたり透過率の優れる、低融点ガラス、ゾル−ゲルガラス、シリコーン樹脂またはエポキシ樹脂を被着するのが良く、これにより、枠体３の内周面の耐腐食性、耐薬品性または耐候性を向上させることができる。
【００２６】
また、枠体３の内周面の表面の算術平均粗さＲａは、0.1μｍ以下であるのが良く、これにより発光素子４から発光された光を良好に発光装置の上側に反射することができる。Ｒａが0.1μｍを超える場合、発光素子４から発光された光を枠体３の内周面で良好に発光装置の上側に反射するのが困難になるとともに発光装置１の内部で乱反射し易くなる。その結果、発光装置１の内部における光の損失が大きく成り易いとともに、所望の放射角度で光を発光装置１の外部に放射することが困難になる。
【００２７】
本発明の透光性部材５は、発光素子４との屈折率差が小さく、紫外領域から可視光領域の光に対して透過率の高いものから成るのがよい。例えば、透光性部材５は、シリコーン樹脂、エポキシ樹脂またはユリア樹脂等の透明樹脂、あるいは低融点ガラスやゾル−ゲルガラス等から成る。これにより、発光素子４と透光性部材５との屈折率差により光の反射損失が発生するのを有効に抑制することができ、発光装置１の外部へ高効率で所望の放射強度や角度分布で光を放射することのできる発光装置１を提供できる。また、このような透光性部材５は、ディスペンサー等の注入機で発光素子４を覆うように枠体３の内側に充填されオーブン等で熱硬化され形成される。
【００２８】
また、透光性部材５は、発光素子４から発光された光で励起された蛍光体中の電子の再結合によって青色，赤色、緑色または黄色等に発光する無機系または有機系の蛍光体が任意の割合で配合、充填されているので、所望の発光スペクトルと色とを有する光を出力することができる。
【００２９】
また、透光性部材５をその上面と発光素子４の発光部６との間の距離が0.1乃至0.8ｍｍとなるように設けるのがよい。これにより、発光素子４から発光された光を、発光素子４の発光部６の上側の一定の厚さの透光性部材５に含まれる蛍光体によって高効率に波長変換するとともに、それらの波長変換された光を蛍光体に妨害されるのを有効に抑制して接透光性部材５の外部に効率的に放射することができる。その結果、発光装置１の光出力を高めるとともに輝度および演色性等の照明特性を良好なものとすることができる。
【００３０】
なお、発光素子４の発光部６と透光性部材５の上面との間隔Ｘ（図１参照）が0.8ｍｍより長い場合、蛍光体のうち発光素子４に近接しているものは、発光素子４から発光される光を良好に波長変換することできるが、この波長変換された光を透光性部材５の外部へ効率よく放出することが困難である。すなわち、波長変換された光の進行を透光性部材５の上面付近の蛍光体により妨害されることで、外部への光の放射を良好なものとし難くなる。
【００３１】
一方、発光素子４の発光部６と透光性部材５の表面との間隔Ｘが0.1ｍｍより短い場合、発光素子４から発光された光により照射されて励起する蛍光体の数が少なくなり、効率よく波長変換することが困難となる。これにより、波長変換されずに透光性部材５を透過する視感性の低い波長の光が多くなり、光出力や輝度、演色性等の照明特性を良好なものとし難くなる。
【００３２】
また、発光素子４は、放射するエネルギーのピーク波長が紫外線域から赤外線域までのいずれのものでもよいが、白色光や種々の色の光を視感性よく放出させるという観点から300乃至500ｎｍの近紫外系から青色系で発光する素子であるのがよい。例えば、サファイア基板上にバッファ層，ｎ型層，発光層およびｐ型層を順次積層した、ＧａＮ，ＧａＡｌＮ，ＩｎＧａＮまたはＩｎＧａＡｌＮ等の窒化ガリウム系化合物半導体、あるいはシリコンカーバイド系化合物半導体やＺｎＳｅ（セレン化亜鉛）等で発光層が形成されたものが挙げられる。
【００３３】
また、本発明の発光装置１は、１個のものを所定の配置となるように設置したことにより、または複数個を、例えば、格子状や千鳥状，放射状，複数の発光装置１から成る、円状や多角形状の発光装置１群を同心状に複数群形成したもの等の所定の配置となるように設置したことにより、照明装置とすることができる。これにより、半導体から成る発光素子４の電子の再結合による発光を利用しているため、従来の放電を用いた照明装置よりも低消費電力かつ長寿命とすることが可能であり、発熱の小さな小型の照明装置とすることができる。その結果、発光素子４から発生する光の中心波長の変動を抑制することができ、長期間にわたり安定した放射光強度かつ放射光角度（配光分布）で光を照射することができるとともに、照射面における色むらや照度分布の偏りが抑制された照明装置とすることができる。
【００３４】
また、本発明の発光装置１を光源として所定の配置に設置するとともに、これらの発光装置１の周囲に任意の形状に光学設計した反射治具や光学レンズ、光拡散板等を設置することにより、任意の配光分布の光を放射できる照明装置とすることができる。
【００３５】
例えば、図３，図４に示す平面図，断面図のように複数個の発光装置１が発光装置駆動回路基板９に複数列に配置され、発光装置１の周囲に任意の形状に光学設計した反射治具８が設置されて成る照明装置の場合、隣接する一列上に配置された複数個の発光装置１において、隣り合う発光装置１との間隔が最短に成らないような配置、いわゆる千鳥状とすることが好ましい。即ち、発光装置１が格子状に配置される際には、光源となる発光装置１が直線上に配列されることによりグレアが強くなり、このような照明装置が人の視覚に入ってくることにより、不快感や目の障害を起こしやすくなるのに対し、千鳥状とすることにより、グレアが抑制され人間の目に対する不快感や目に及ぼす障害を低減することができる。さらに、隣り合う発光装置１間の距離が長くなることにより、隣接する発光装置１間の熱的な干渉が有効に抑制され、発光装置１が実装された発光装置駆動回路基板９内における熱のこもりが抑制され、発光装置１の外部に効率よく熱が放散される。その結果、人の目に対しても障害の小さい長期間にわたり光学特性の安定した長寿命の照明装置を作製することができる。
【００３６】
また、照明装置が、図５，図６に示す平面図，断面図のような発光装置駆動回路基板９上に複数の発光装置１から成る円状や多角形状の発光装置１群を、同心状に複数群形成した照明装置の場合、１つの円状や多角形状の発光装置１群における発光装置１の配置数を照明装置の中央側より外周側ほど多くすることが好ましい。これにより、発光装置１同士の間隔を適度に保ちながら発光装置１をより多く配置することができ、照明装置の照度をより向上させることができる。また、照明装置の中央部の発光装置１の密度を低くして発光装置駆動回路基板９の中央部における熱のこもりを抑制することができる。よって、発光装置駆動回路基板９内における温度分布が一様となり、照明装置を設置した外部電気回路基板やヒートシンクに効率よく熱が伝達され、発光装置１の温度上昇を抑制することができる。その結果、発光装置１は長期間にわたり安定して動作することができるとともに長寿命の照明装置を作製することができる。
【００３７】
このような照明装置としては、例えば、室内や室外で用いられる、一般照明用器具、シャンデリア用照明器具、住宅用照明器具、オフィス用照明器具、店装，展示用照明器具、街路用照明器具、誘導灯器具及び信号装置、舞台及びスタジオ用の照明器具、広告灯、照明用ポール、水中照明用ライト、ストロボ用ライト、スポットライト、電柱等に埋め込む防犯用照明、非常用照明器具、懐中電灯、電光掲示板等や、調光器、自動点滅器、ディスプレイ等のバックライト、動画装置、装飾品、照光式スイッチ、光センサ、医療用ライト、車載ライト等が挙げられる。
【実施例１】
【００３８】
本発明の発光装置１について以下に実施例を示す。
【００３９】
まず、基体２となる種々の粒径の結晶粒から成るアルミナセラミックス基体を準備した。また、発光素子４が載置される載置部２ａの周囲に、発光素子４と外部電気回路基板とを基体２の内部に形成した内部配線を介して電気的に接続するための配線導体を形成した。なお、基体２の上面の配線導体は、Ｍｏ−Ｍｎ粉末からなるメタライズ層により直径が0.1ｍｍの円形パッドに成形されており、その表面に厚さ３μｍのＮｉメッキ層と厚さ２μｍのＡｕメッキ層とが順次被着されたものであった。また、基体２内部の内部配線は、貫通導体からなる電気接続部、いわゆるスルーホールによって形成された。このスルーホールについても配線導体と同様にＭｏ−Ｍｎ粉末からなるメタライズ導体で成形された。
【００４０】
次に、近紫外光を発する厚さ0.08ｍｍの発光素子４を載置部２ａにＡｇペーストで取着し、Ａｕから成るボンディングワイヤを介して発光素子４を配線導体に電気的に接続した。
【００４１】
次に、発光素子４の光によって励起され、黄色発光を行なう蛍光体を含有するシリコーン樹脂（透光性部材５）をディスペンサーによって、発光素子４の周囲に被覆し熱硬化させてサンプルとしての発光装置１を作製し光出力を測定した。
【００４２】
なお、蛍光体は、シリコーン樹脂に対して１／４の充填率（質量％）で均一に分散させた。また、蛍光体はその平均粒径が1.5乃至80μｍでガーネット構造を有するイットリウム・アルミン酸塩系の黄色発光を行なう蛍光体を用いた。
【００４３】
基体２のセラミックスの結晶粒の平均粒径が10μｍ程度の場合、光出力が14ｍＷであった。しかし、基体２のセラミックスの結晶粒の平均粒径が１乃至５μｍの場合、光出力は17ｍＷとなり、セラミックスの結晶粒の平均粒径が10μｍ程度と比して、光出力のエネルギーが20％以上増加した。即ち、セラミックスの結晶粒の平均粒径が10μｍ程度の場合に比し、セラミックスの結晶粒の平均粒径が１乃至５μｍの基体を用いることにより、基体２の内部に入り込む光を有効に抑制するとともに基体２の表面における光散乱によって光照射される蛍光体の数が増加して光出力が向上したものと考えられる。
【００４４】
また、発光装置１の光出力を高めるために電流値を増加させた場合、セラミックスの平均粒径が１乃至５μｍの基体の方が順方向電流に対する発光効率の低下を有効に抑制できたことも確認した。
【実施例２】
【００４５】
次に、上記の実施例と同一の構造でかつ基体２の焼結後におけるセラミックスの結晶粒の平均粒径が、１（μｍ）、５（μｍ）、10（μｍ）である発光装置１を作製し、発光素子４への負荷電流に対する全光束（光出力）を測定した。なお、発光装置１は、どちらも冷却性能が同等であるヒートシンクに実装され、光出力は積分球を用いて測定した。その結果を、図７に示す。
【００４６】
図７より、発光素子４への負荷電流が定格電流である20（ｍＡ）、定格電圧が3.4（Ｖ）の場合、セラミックスの結晶粒の平均粒径が１（μｍ）である発光装置１の光出力は0.96（ｌｍ）となり、発光効率は14（ｌｍ／Ｗ）であった。また、セラミックスの結晶粒の平均粒径が５（μｍ）である発光装置１の光出力は0.8（ｌｍ）であり、発光効率は12（ｌｍ／Ｗ）であった。これに対して、セラミックスの結晶粒の平均粒径が10μｍである発光装置１の光出力は0.55（ｌｍ）となり、発光効率は８（ｌｍ／Ｗ）であった。即ち、定格電流における発光装置１の光出力は、基体２のセラミックスの結晶粒の平均粒径が10（μｍ）と比べ、セラミックスの結晶粒の平均粒径が１（μｍ）、５（μｍ）である発光装置１の光出力は45乃至74（％）向上した。
【００４７】
即ち、基体２のセラミックスの結晶粒の平均粒径を１乃至５（μｍ）にすることにより、基体２の内部に入り込む光を有効に抑制するとともに、セラミックスの結晶粒によって基体２表面に形成される凹凸により、発光素子４より発せられた光が完全散乱に近い状態で反射する。従って、枠体３の内部に充填された蛍光体を均一な光強度で照射するとともに、光照射される蛍光体の数が増加することにより、発光素子４の光により励起される蛍光体の確率が上昇し、蛍光体の光変換効率が向上する。その結果、発光装置１は、基体２のセラミックスの結晶粒の平均粒径を１乃至５（μｍ）にすることにより、白熱灯の発光効率である12（ｌｍ／Ｗ）以上となり表示用や照明用の光源として実用化することができる。
【００４８】
また、発光装置１の光出力を向上させるために負荷電流を増加させた場合、基体２のセラミックスの結晶粒の平均粒径が大きい場合は、100（ｍＡ）よりも低い電流値付近で負荷電流に比例した光出力の上昇が見られなくなるのに対し、セラミックスの結晶粒の平均粒径を小さくすることにより、大きな電流値まで電流に比例して光出力が上昇し、特に平均粒径を１μｍとすることによって発光装置１の光出力は110ｍＡ付近まで比例して上昇した。即ち、基体２のセラミックスの結晶粒の平均粒径を小さくすることにより、基体２内部の熱拡散性が向上し、発光素子４の負荷電流による温度上昇が抑制され、発光素子の発光効率の劣化を抑制することができる。
【００４９】
さらにまた、発光装置１の負荷電流に対する発光素子４のピーク波長について、セラミックスの結晶粒の平均粒径を変えて発光装置１を作製し測定を行なったところ、基体２のセラミックスの結晶粒の平均粒径を１μｍにすることにより、発光素子４のピーク波長の変動を小さくすることができることがわかった。これにより、発光素子４のピーク波長に依存する蛍光体の変換効率の変動を抑制することができる。さらに、発光装置１が、励起スペクトルの異なる複数の蛍光体から成る場合、発光素子４のピーク波長の変動によって生じる蛍光体の変換効率の変動が抑制される。その結果、複数の蛍光体からの励起光を混合して出力する発光装置１の光の色の変動が抑制される。例えば、蛍光体が赤色蛍光体、青色蛍光体、緑色蛍光体から成り、発光素子４のピーク波長が負荷電流により変動する場合、赤色蛍光体、青色蛍光体、緑色蛍光体の発光強度が、発光素子４のピーク波長によりそれぞれの特性で変動して発光装置１より出力される。即ち、赤色蛍光体、青色蛍光体、緑色蛍光体からの励起光の混合光における光強度の割合が変動し、出力光の色調が変動し、所望する色調の光が得られなくなる。従って、基体２のセラミックスの結晶粒の平均粒径を１μｍにすることにより、発光素子４のピーク波長の変動が抑制され出力される光の色調の変動が抑制され、安定した発光特性かつ照明特性を有する照明用や表示用に適した発光装置を作製することができる。
【００５０】
なお、本発明は以上の実施の形態の例および実施例に限定されず、本発明の要旨を逸脱しない範囲内で種々の変更を行なうことは何等支障ない。例えば、枠体３の上面に発光装置１より放出される光を任意に集光または拡散させることができる光学レンズや平板状の透光性の蓋体を半田や接着剤等で接合することにより、所望とする角度で光を取り出すことができるとともに発光装置１の内部への耐浸水性が改善され長期信頼性が向上する。また、枠体３の内周面は、その断面形状が平坦（直線状）または円弧状（曲線状）であってもよい。円弧状とする場合、発光素子４から発光される光を万遍なく反射させて指向性の高い光を外部に均一に放射することができる。また、光出力を高めるために基体２に発光素子４を複数設けても良い。さらに、枠体３の内周面の角度や、枠体３の上端から透光性部材５の上面までの距離を任意に調整することも可能であり、これにより、補色域を設けることによりさらに良好な演色性を得ることができる。
【００５１】
また、本発明の照明装置は、複数個の発光装置１を所定の配置となるように設置したものだけでなく、１個の発光装置１を所定の配置となるように設置したものでもよい。
【図面の簡単な説明】
【００５２】
【図１】本発明の発光装置について実施の形態の一例を示す断面図である。
【図２】従来の発光装置を示す断面図である。
【図３】本発明の照明装置の実施の形態の一例を示す平面図である。
【図４】図３の照明装置の断面図である。
【図５】本発明の照明装置の実施の形態の他の例を示す平面図である。
【図６】図５の照明装置の断面図である。
【図７】本発明の発光装置の強度測定結果を示す図である。
【符号の説明】
【００５３】
１：発光装置
２：基体
２ａ：載置部
３：枠体
４：発光素子
５：透光性部材
６：発光部
８：反射治具
９：発光装置駆動回路基板
【図１】
2006270120.tif 000003
【図２】
2006270120.tif 000004
【図３】
2006270120.tif 000005
【図４】
2006270120.tif 000006
【図５】
2006270120.tif 000007
【図６】
2006270120.tif 000008
【図７】
2006270120.tif 000009